(57)【要約】【課題】  フィードローラを備えた給紙装置で給紙される、平滑度が高くかつ静摩擦係数が小さい印字面を備えた帳票用紙にあって、ダブルフィードやミスフィードを防止し得るようにする。【解決手段】  フィードローラ９と接触する印字面２の少なくとも一辺縁を非印字領域６とし、該非印字領域６に、平滑度を低下させ、かつ静摩擦係数を増大させる低滑性加工面７を形成した。これにより、給紙時において、高平滑度により帳票用紙１，１相互が密着して生ずるダブルフィードや、静摩擦係数が小さいためにフィードローラ９が滑ることにより生ずるミスフィードを防止することができる。【選択図】  図１１
2005178274.tif 000002
【特許請求の範囲】
【請求項１】
フィードローラを備えた給紙装置で給紙される、平滑度が高くかつ静摩擦係数が小さい印字面を備えた帳票用紙において、
前記フィードローラと接触する印字面の少なくとも一辺縁を非印字領域とするものであって、該非印字領域に、平滑度を低下させ、かつ静摩擦係数を増大させる低滑性加工面が形成されていることを特徴とする帳票用紙。
【請求項２】
低滑性加工面が、２０〜７０％の網点印刷からなる印刷層を形成してなるものであることを特徴とする請求項１記載の帳票用紙。
【請求項３】
低滑性加工面が、エンボス加工を施してなるものであることを特徴とする請求項１記載の帳票用紙。
【請求項４】
低滑性加工面が、複数の透孔を形成してなるものであることを特徴とする請求項１記載の帳票用紙。
【請求項５】
印字面に感熱発色層を備えたものであることを特徴とする請求項１乃至請求項４の何れかに記載の帳票用紙。
【発明の詳細な説明】
【技術分野】
【０００１】
本発明は、フィードローラを備えた給紙装置で給紙される帳票用紙に関する。
【背景技術】
【０００２】
一般に、光学読取装置（ＯＣＲ）や印字装置が装備するフィードローラを備えた給紙装置にあっては、図１２に示すように、給紙装置ａを構成するホッパーｂ上に複数枚の帳票用紙ｃが積層され、その上方から圧接するフィードローラｄの回転によって、最上部に位置する帳票用紙ｃを順次引き出して光学読取装置の読取部や印字装置の印字部に供給するようになっている（例えば、特許文献１参照）。
【０００３】
このような給紙装置ａによって給紙される帳票用紙ｃには、給紙時における帳票用紙ｃ相互の高平滑度に起因する密着により生ずるダブルフィード（二重送り）や、フィードローラｄに対する低摩擦力に起因するミスフィード（送り損ない）を防止するために、所定の平滑度（100〜200秒程度）及び静摩擦係数（0.45程度）を有する上質紙やＯＣＲ用紙が使用されている。
【特許文献１】特開平９−２６７５５３号公報（図４）
【発明の開示】
【発明が解決しようとする課題】
【０００４】
ところで、近年、光学読取装置によって所要情報を読み取って機械処理する郵便振替用紙等の帳票用紙に、サーマル紙が使用され始めている。かかるサーマル紙は、周知のように紙基材の表面に感熱発色層からなる印字面が形成されており、該サーマル紙への印字は、印字面上を摺動するサーマルヘッドによって行われるが、印字時にサーマルヘッドによる熱印可のムラを無くし、また、サーマルヘッドの早期摩耗を防止するために、サーマル紙の印字面は、平滑度が250秒以上と高く、かつ静摩擦係数が0.3以下と小さいものとなっている。
【０００５】
従って、上質紙やＯＣＲ用紙に比して、上記のように印字面の平滑度が高く、かつ静摩擦係数が小さいサーマル紙からなる帳票用紙を、光学読取装置のフィードローラを備えた給紙装置に複数枚セットして、その給紙を行わせると、高平滑度により帳票用紙相互が密着してダブルフィードが発生し易く、また、静摩擦係数が小さいためフィードローラが滑りミスフィードが発生し易いという問題点があった。
【０００６】
また、サーマル紙に限らず、印字面に塗工層を備えたアート紙やコート紙、或いは合成樹脂フィルムからなる帳票用紙にあっても、その平滑度及び静摩擦係数がサーマル紙と略同等であるため、光学読取装置や印字装置が装備するフィードローラを備えた給紙装置に複数枚セットして給紙を行わせると、サーマル紙と同様にダブルフィードやミスフィードが発生し易いという問題点があった。
【０００７】
本発明は、平滑度が高くかつ静摩擦係数が小さい印字面を備えた帳票用紙にあって、給紙時におけるダブルフィードやミスフィードを防止し得るようにした帳票用紙を提供することを目的とするものである。
【課題を解決するための手段】
【０００８】
本発明は、フィードローラを備えた給紙装置で給紙される、平滑度が高くかつ静摩擦係数が小さい印字面を備えた帳票用紙において、前記フィードローラと接触する印字面の少なくとも一辺縁を非印字領域とするものであって、該非印字領域に、平滑度を低下させ、かつ静摩擦係数を増大させる低滑性加工面が形成されていることを特徴とする帳票用紙である。
【０００９】
ここで、低滑性加工面が形成される非印字領域は、印字面の一辺縁のみとしたり、或いは印字面の少なくとも対向する二辺縁とすることができ、非印字領域を印字面の一辺縁のみとした場合には、給紙装置による給紙時に該一辺縁が紙送り方向の前部側に位置するようにセットされることとなる。また、平滑度が高いとは、ＪＩＳ Ｐ８１１９による測定で平滑度が250秒以上であることを意味し、静摩擦係数が小さいとは、ＪＩＳ Ｐ８１４７による測定で静摩擦係数が0.3以下であることを意味する。このような平滑度が高く、かつ静摩擦係数が小さい印字面を備えた帳票用紙としては、サーマル紙，アート紙，コート紙，合成樹脂フィルム等が挙げられる。そして、これらの帳票用紙の非印字領域に形成された低滑性加工面により、該非印字領域の平滑度が、上質紙やＯＣＲ用紙と略同等の100〜200秒程度に低下され、かつ該非印字領域の静摩擦係数が、上質紙やＯＣＲ用紙と略同等の0.45程度に増大されることとなる。
【００１０】
上記低滑性加工面は、２０〜７０％の網点印刷からなる印刷層を形成してなるものや、エンボス加工を施してなるもの、或いは複数の透孔を形成してなるものが提案される。
【００１１】
また、本発明を適用する帳票用紙として、印字面に感熱発色層を備えたものが提案される。ここで、印字面は、感熱発色層のみであってもよく、また、該感熱発色層上にオーバーコート層を設けたものであってもよい。このような帳票用紙としては、サーマル紙が挙げられる。
【発明の効果】
【００１２】
本発明は、上述したように、フィードローラを備えた給紙装置で給紙される、平滑度が高くかつ静摩擦係数が小さい印字面を備えた帳票用紙において、前記フィードローラと接触する印字面の少なくとも一辺縁を非印字領域とするものであって、該非印字領域に、平滑度を低下させ、かつ静摩擦係数を増大させる低滑性加工面が形成されている帳票用紙であるから、低滑性加工面によって、非印字領域の平滑度及び静摩擦係数を上質紙やＯＣＲ用紙と略同等にすることができる。これにより、給紙時において、高平滑度により帳票用紙相互が密着して生ずるダブルフィードや、静摩擦係数が小さいためにフィードローラが滑ることにより生ずるミスフィードを防止することができる。また、低滑性加工面は印字面の非印字領域に形成されているため、印字面への印字に支障が生じることがない。
【００１３】
そして、上記低滑性加工面を、２０〜７０％の網点印刷からなる印刷層を形成してなるものや、エンボス加工を施してなるもの、或いは複数の透孔を形成してなるものとすることにより、印字面の非印字領域に対して、平滑度を低下させ、かつ静摩擦係数を増大させる低滑性加工を容易に施すことができる。
【００１４】
また、本発明を適用する帳票用紙を、印字面に感熱発色層を備えたものとすることにより、近年使用され始めたサーマル紙からなる郵便振替用紙等の帳票用紙の、光学読取装置の給紙装置による給紙を良好に行わせることができる。
【発明を実施するための最良の形態】
【００１５】
以下に、本発明の第一実施例を、図１〜図５に基づいて説明する。
図１は、本発明にかかる帳票用紙１を示し、該帳票用紙１にはその表面全体に亘って印字面２が形成されている。ここで、該印字面２は、帳票用紙１がサーマル紙の場合には、図２に示すように、紙基材３の表面に順に積層された感熱発色層４とオーバーコート層５を備えており、また、帳票用紙１がアート紙或いはコート紙の場合には、前記感熱発色層４に代えて白土を主体とするコート剤層４’を備えている。この感熱発色層４またはコート剤層４’は、ブレードコーターで塗工したり、ロールコーターやエアナイフコーターによる塗工後にカレンダー処置が施されている。これにより、サーマル紙，アート紙或いはコート紙の印字面２は、平滑度が250秒以上と高く、かつ静摩擦係数が0.3以下と小さいものとなっている。また、帳票用紙１が、表面を印字面２とする合成樹脂フィルムの場合には、その材質の特性により、印字面２の平滑度が250秒以上であり、かつ静摩擦係数が0.3以下となっている。
【００１６】
上記帳票用紙１の印字面２は、図１に示すように、少なくともその対向する二辺縁を非印字領域６，６としている。この非印字領域６，６は印字装置による印字が施されない用紙の余白部分に設定されており、該非印字領域６，６に低滑性加工面７，７が形成されている。この第一実施例では、該低滑性加工面７，７が、図３に示すように、２０〜７０％の網点印刷を施してなる印刷層８，８で構成されている。この網点印刷には、酸化重合インキ，ＵＶ硬化型インキ等の通常の印刷用インキが用いられ得る。そして、該低滑性加工面７，７によって非印字領域６，６の平滑度を100〜200秒程度に低下させ、かつ静摩擦係数を0.45程度に増大させるようにしている。これにより、非印字領域６，６の平滑度及び静摩擦係数が、上質紙やＯＣＲ用紙と略同等になっている。また、上記のように低滑性加工面７，７を構成する印刷層８，８として、２０〜７０％の網点印刷を施すことにより、該低滑性加工面７，７を容易に形成し得るようにしている。
【００１７】
かかる構成にあって、帳票用紙１の印字面２には、紙種に対応した印字装置によって印字が施される。即ち、帳票用紙１がサーマル紙の場合には、サーマルヘッドを備えたサーマル印字装置が用いられ、帳票用紙１がアート紙，コート紙，合成樹脂フィルムの場合には、レーザープリンタ，インクジェットプリンタ等の印字装置が用いられる。そして、このような印字装置による印字面２への印字時、或いは印字面２に印字された所要情報の光学読取装置による読取時において、図４に示すように、帳票用紙１を光学読取装置や印字装置が装備するフィードローラ９を備えた給紙装置１０のホッパー１１上に複数枚セットして給紙を行わせると、非印字領域６，６に形成された低滑性加工面７，７によって、該非印字領域６，６の平滑度及び静摩擦係数が上質紙やＯＣＲ用紙と略同等となっているため、従来のように高平滑度により帳票用紙１，１相互が密着して生ずるダブルフィードや、静摩擦係数が小さいためにフィードローラ９が滑ることにより生ずるミスフィードが防止され、最上部に位置する帳票用紙１から順に一枚ずつ引き出すことができる。
【００１８】
この時、印字面２の少なくとも対向する二辺縁の非印字領域６，６に低滑性加工面７，７が形成されていることにより、図５（イ）に示すように、紙送り方向Ｆの左右両側に低滑性加工面７，７が位置するように帳票用紙１をセットすれば、該帳票用紙１の左右両側の二箇所で低滑性加工面７，７がフィードローラ９と均等に接触することとなる。また、図５（ロ）に示すように、紙送り方向Ｆの前後に低滑性加工面７，７が位置するように帳票用紙１をセットすれば、該帳票用紙１の前部側の低滑性加工面７全体がフィードローラ９と均等に接触することとなる。これにより、帳票用紙１は給紙装置１０に前後左右の何れの向きでもセットすることができる。また、印字面２の少なくとも対向する二辺縁を非印字領域６，６とし、該非印字領域６，６に低滑性加工面７，７が形成されていることにより、印字面２への印字を支障なく行うことができる。
【００１９】
図６，図７は、本発明の第二実施例を示し、この実施例は、印字面２の少なくともその対向する二辺縁の非印字領域６，６に形成される低滑性加工面７，７を、エンボス加工によって構成したものである。ここで、該エンボス加工は、上部側ローラの周面に凹部を備え、下部側ローラの周面に突部を備えた上下一対のローラ間に帳票用紙１を通すことにより容易に形成され得る。このエンボス加工は、図７に示すように、少なくとも非印字領域６，６の上面側に突出する多数の突部１２を有するように形成されるが、該突部１２とともに、非印字領域６，６の下面側に突出する多数の凹部（図示せず）を備えたものであってもよい。また、突部１２の形状は、図示したような長円形以外に、円形，矩形，梨地模様その他の任意の形状とすることができ、その大きさ及び配置態様も任意に設定される。そして、このようなエンボス加工からなる低滑性加工面７，７によって、非印字領域６，６の平滑度を100〜200秒程度に低下させ、かつ静摩擦係数を0.45程度に増大させるようにしている。
【００２０】
図８，図９は、本発明の第三実施例を示し、この実施例は、印字面２の少なくともその対向する二辺縁の非印字領域６，６に形成される低滑性加工面７，７を、複数の透孔１３によって構成したものである。該透孔１３は、一方のローラの周面にパンチを備え、他方のローラの周面にパンチ挿通孔を備えた上下一対のローラ間に帳票用紙１を通すことにより容易に形成され得る。また、透孔１３の形状は、図示したような円形以外に、長円形，矩形，その他の任意の形状とすることができ、その大きさ及び配置態様も任意に設定される。そして、このような複数の透孔１３からなる低滑性加工面７，７によって、非印字領域６，６の平滑度を100〜200秒程度に低下させ、かつ静摩擦係数を0.45程度に増大させるようにしている。
【００２１】
かかる第二実施例及び第三実施例にあっても、上述した第一実施例と同様の作用効果が得られる。即ち、低滑性加工面７，７によって、非印字領域６，６の平滑度及び静摩擦係数を上質紙やＯＣＲ用紙と略同等にすることができ、これにより、給紙時において、高平滑度により帳票用紙１，１相互が密着して生ずるダブルフィードや、静摩擦係数が小さいためにフィードローラ９が滑ることにより生ずるミスフィードを防止することができる。また、低滑性加工面７，７が形成された非印字領域６，６は、印字面２の少なくとも対向する二辺縁であるため、印字面２への印字に支障が生じることがなく、さらに、印字面２の少なくとも対向する二辺縁の非印字領域６，６に低滑性加工面７，７が形成されていることにより、給紙装置１０（図４参照）に帳票用紙１を前後左右の何れの向きでセットしてもフィードローラ９に対して低滑性加工面７，７（図５（イ）参照）、または一方の低滑性加工面７（図５（ロ）参照）が均等に接触し、該フィードローラ９による給紙を円滑に行わせることができる。
【００２２】
図１０は、本発明の変形実施例にかかる帳票用紙１を示し、この帳票用紙１は、印字面２の一辺縁のみを非印字領域６とし、該非印字領域６に低滑性加工面７を形成したものである。この低滑性加工面７は、上述した２０〜７０％の網点印刷からなる印刷層８（図３参照）や、多数の突部１２を有するエンボス加工（図７参照）、または複数の透孔１３（図９参照）によって構成される。
【００２３】
かかる構成にあって、図１１に示すように、帳票用紙１を光学読取装置や印字装置が装備するフィードローラ９を備えた給紙装置１０のホッパー１１上に複数枚セットして給紙を行わせる際に、低滑性加工面７が紙送り方向Ｆの前部側に位置するようにセットすることにより、該低滑性加工面７全体がフィードローラ９と均等に接触することとなる。そして、該低滑性加工面７によって非印字領域６の平滑度及び静摩擦係数が上質紙やＯＣＲ用紙と略同等となっていることにより、従来のように高平滑度により帳票用紙１，１相互が密着して生ずるダブルフィードや、静摩擦係数が小さいためにフィードローラ９が滑ることにより生ずるミスフィードが防止され、最上部に位置する帳票用紙１から順に一枚ずつ引き出すことができる。また、印字面２の一辺縁の非印字領域６に低滑性加工面７が形成されているため、印字面２への印字に支障が生じることがない。
【図面の簡単な説明】
【００２４】
【図１】第一実施例にかかる帳票用紙１の平面図である。
【図２】帳票用紙１を構成するサーマル紙の縦断面図である。
【図３】第一実施例にかかる帳票用紙１の要部の部分断面図である。
【図４】複数の帳票用紙１を給紙装置１０にセットした状態を示す説明図である。
【図５】（イ）は紙送り方向Ｆの左右両側に低滑性加工面７，７が位置するように帳票用紙１をセットした状態を示す概略平面図、（ロ）は紙送り方向Ｆの前後に低滑性加工面７，７が位置するように帳票用紙１をセットした状態を示す概略平面図である。
【図６】第二実施例にかかる帳票用紙１の平面図である。
【図７】同上の帳票用紙１の要部の部分断面図である。
【図８】第三実施例にかかる帳票用紙１の平面図である。
【図９】同上の帳票用紙１の要部の部分断面図である。
【図１０】変形実施例にかかる帳票用紙１の平面図である。
【図１１】複数の帳票用紙１を給紙装置１０にセットした状態を示す説明図である。
【図１２】従来の帳票用紙ｃを給紙装置ａにセットした状態を示す説明図である。
【符号の説明】
【００２５】
１  帳票用紙
２  印字面
４  感熱発色層
６  非印字領域
７  低滑性加工面
８  印刷層
９  フィードローラ
１０  給紙装置
１２  突部（エンボス加工）
１３  透孔
【図１】
2005178274.tif 000003
【図２】
2005178274.tif 000004
【図３】
2005178274.tif 000005
【図４】
2005178274.tif 000006
【図５】
2005178274.tif 000007
【図６】
2005178274.tif 000008
【図７】
2005178274.tif 000009
【図８】
2005178274.tif 000010
【図９】
2005178274.tif 000011
【図１０】
2005178274.tif 000012
【図１１】
2005178274.tif 000013
【図１２】
2005178274.tif 000014